(57)【要約】【課題】クロストークを抑制すること。【解決手段】本発明の信号伝送用ケーブルは、外部装置に電気的に接続可能な端末部と、端末部に電気的に接続可能な８チャネル以上のメタル線２１を含むケーブルと、を備え、端末部は、外部装置に電気的に接続可能であって、ケーブルに含まれた各チャネルのメタル線２１にそれぞれ接続された複数の接続部１２を含む基板１３を有し、複数の接続部１２において隣り合って接続される互いに異なるチャネルのメタル線２１が、ケーブル内において互いに隣り合わないように配置されている。【選択図】図３
2016024979.tif 000002
【特許請求の範囲】
【請求項１】
外部装置に着脱可能な端末部と、
前記端末部に端部が固定されたケーブルと、を備え、
前記ケーブルは、８チャネル以上の信号伝送路を構成する複数のメタル線を含み、
前記端末部は基板を備え、
前記基板は、前記外部装置に電気的に接続可能であって、前記メタル線にそれぞれ接続された複数の接続部を含み、
前記複数の接続部において隣り合って接続され、互いに異なる信号伝送路を構成する前記メタル線が、前記ケーブル内において互いに隣り合わないように配置されている、信号伝送用ケーブル。
【請求項２】
外部装置に着脱可能な端末部と、
前記端末部に端部が固定されたケーブルと、を備え、
前記ケーブルは、８チャネル以上の信号伝送路を構成する複数のメタル線を含み、
前記端末部は基板を備え、
前記基板は、
前記外部装置に電気的に接続可能な複数の接続部と、
前記複数の接続部にそれぞれ接続された複数の第１端子、及び前記メタル線にそれぞれ接続された複数の第２端子を有する信号処理回路と、を有し、
前記複数の第２端子において隣り合って接続され、互いに異なる信号伝送路を構成する前記メタル線が、前記ケーブル内において互いに隣り合わないように配置されている、信号伝送用ケーブル。
【請求項３】
前記ケーブルは、前記メタル線として、前記ケーブルの外周に沿って配置された外側メタル線と、前記外側メタル線の内側に配置された内側メタル線とを有し、
前記複数の接続部において隣り合って接続され、互いに異なる信号伝送路を構成する前記メタル線の組合せの一部が、前記外側メタル線同士の組合せであるとともに、当該組合せに係る前記メタル線が前記ケーブルの中心を通る同一直線上に配置されている、請求項１記載の信号伝送用ケーブル。
【請求項４】
前記ケーブルは、前記メタル線として、前記ケーブルの外周に沿って配置された外側メタル線と、前記外側メタル線の内側に配置された内側メタル線とを有し、
前記複数の第２端子において隣り合って接続され、互いに異なる信号伝送路を構成する前記メタル線の組合せの一部が、前記外側メタル線同士の組合せであるとともに、当該組合せに係る前記メタル線が前記ケーブルの中心を通る同一直線上に配置されている、請求項２記載の信号伝送用ケーブル。
【請求項５】
前記信号処理回路は、前記外部装置に対して差動信号の送信又は受信を行うとともに、前記メタル線に対してシングルエンド信号の送信又は受信を行う、請求項２又は４記載の信号伝送用ケーブル。
【請求項６】
前記端末部は、前記ケーブル内における前記メタル線の配置を、前記基板における前記メタル線の配置に変換する整列モールドを有している、請求項１〜５のいずれか一項記載の信号伝送用ケーブル。
【請求項７】
外部装置に着脱可能な端末部と、
前記端末部に端部が固定されたケーブルと、を備え、
前記ケーブルは、８チャネル以上の信号伝送路を構成する複数のメタル線を含み、
前記メタル線は、前記ケーブルの外周に沿って配置された外側メタル線と、前記外側メタル線の内側に配置された内側メタル線とを有し、
前記外側メタル線であって同方向へ信号を伝送するメタル線同士が、互いに隣接しないように配置されている、信号伝送用ケーブル。
【発明の詳細な説明】
【技術分野】
【０００１】
本発明は、信号伝送用ケーブルに関するものである。
【背景技術】
【０００２】
特許文献１には、送信信号と受信信号間で発生するクロストークであるＮＥＸＴ（NearEnd Crosstalk）、及び、同方向の信号間で発生するクロストークであるＦＥＸＴ（Far EndCrossTalk）を抑制すべく、基板上のコンタクト（接続部分）配置を適正化する技術が記載されている。また、特許文献２には、信号伝送用ケーブルとして差動伝送用のツイナックスケーブルが開示されている。
【先行技術文献】
【特許文献】
【０００３】
【特許文献１】特許４２４８０４２号公報
【特許文献２】特開２００４−８７１８９号公報
【発明の概要】
【発明が解決しようとする課題】
【０００４】
クロストークは、ケーブル端末部（以下、端末部と記載する）の基板上やケーブル内にて隣接する異なるチャネルに係るメタル線間で発生し易い。そのため、端末部の基板上及びケーブル内の双方において異なるチャネルに係るメタル線が隣接している場合には、クロストークの影響がより大きくなる。ここで、ケーブル内のメタル線の配置は、基板への実装性を考慮して決定されることが一般的である。よって、基板上において互いに隣接しているメタル線は、ケーブル内においても隣接していることが多い。そのため、クロストークの影響を強く受けてしまう場合がある。
【０００５】
本発明は上記実情に鑑みてなされたものであり、クロストークを抑制することができる信号伝送用ケーブルを提供することを目的とする。
【課題を解決するための手段】
【０００６】
上述した課題を解決するために、本発明の一側面に係る信号伝送用ケーブルは、外部装置に着脱可能な端末部と、端末部に端部が固定されたケーブルと、を備え、ケーブルは、８チャネル以上の信号伝送路を構成する複数のメタル線を含み、端末部は基板を備え、基板は、外部装置に電気的に接続可能であって、メタル線にそれぞれ接続された複数の接続部を含み、複数の接続部において隣り合って接続され、互いに異なる信号伝送路を構成するメタル線が、ケーブル内において互いに隣り合わないように配置されている。
【０００７】
また、本発明の他の側面に係る信号伝送用ケーブルは、外部装置に着脱可能な端末部と、端末部に端部が固定されたケーブルと、を備え、ケーブルは、８チャネル以上の信号伝送路を構成する複数のメタル線を含み、端末部は基板を備え、基板は、外部装置に電気的に接続可能な複数の接続部と、複数の接続部にそれぞれ接続された複数の第１端子、及びメタル線にそれぞれ接続された複数の第２端子を有する信号処理回路と、を有し、複数の第２端子において隣り合って接続され、互いに異なる信号伝送路を構成するメタル線が、ケーブル内において互いに隣り合わないように配置されている。
【０００８】
さらに、本発明の他の側面に係る信号伝送用ケーブルは、外部装置に着脱可能な端末部と、端末部に端部が固定されたケーブルと、を備え、ケーブルは、８チャネル以上の信号伝送路を構成する複数のメタル線を含み、メタル線は、ケーブルの外周に沿って配置された外側メタル線と、外側メタル線の内側に配置された内側メタル線とを有し、外側メタル線であって同方向へ信号を伝送するメタル線同士が、互いに隣接しないように配置されている。
【発明の効果】
【０００９】
本発明による信号伝送用ケーブルによれば、クロストークを抑制することができる。
【図面の簡単な説明】
【００１０】
【図１】図１は、第１実施形態に係る信号伝送用ケーブルの構成を示す図である。
【図２】図２は、端末部周辺の詳細を示す図である。
【図３】図３（ａ）は基板を一方の板面側から見た上面図である。図３（ｂ）は基板を他方の板面側から見た裏面図である。
【図４】図４は、ケーブルの一端における延伸方向から見た構成を示す模式図である。
【図５】図５（ａ）は比較例に係る基板を一方の板面側から見た上面図である。図５（ｂ）は比較例に係る基板を他方の板面側から見た裏面図である。
【図６】図６は、比較例に係るケーブルの一端を示した模式図である。
【図７】図７（ａ）は第２実施形態に係る基板を一方の板面側から見た上面図である。図７（ｂ）は第２実施形態に係る基板を他方の板面側から見た裏面図である。
【図８】図８は、第３実施形態に係るケーブルの一端を示した模式図である。
【図９】図９は、第４実施形態に係るケーブルの一端を示した模式図である。
【図１０】図１０（ａ）は第５実施形態に係る基板を一方の板面側から見た上面図である。図１０（ｂ）は第５実施形態に係る基板を他方の板面側から見た裏面図である。
【図１１】図１１は、第５実施形態に係るケーブルの一端を示した模式図である。
【発明を実施するための形態】
【００１１】
[本発明の実施形態の説明]
【００１２】
（１）本発明の一側面に係る信号伝送用ケーブルは、外部装置に着脱可能な端末部と、端末部に端部が固定されたケーブルと、を備え、ケーブルは、８チャネル以上の信号伝送路を構成する複数のメタル線を含み、端末部は基板を備え、基板は、外部装置に電気的に接続可能であって、メタル線にそれぞれ接続された複数の接続部を含み、複数の接続部において隣り合って接続され、互いに異なる信号伝送路を構成するメタル線が、ケーブル内において互いに隣り合わないように配置されている。これにより、異なる信号伝送路を構成するメタル線が接続部及びケーブル内の双方にて隣接することを回避することができる。これにより、異なるチャネル間におけるクロストークの影響を軽減することができる。
【００１３】
（２）本発明の他の側面に係る信号伝送用ケーブルは、外部装置に着脱可能な端末部と、端末部に端部が固定されたケーブルと、を備え、ケーブルは、８チャネル以上の信号伝送路を構成する複数のメタル線を含み、端末部は基板を備え、基板は、外部装置に電気的に接続可能な複数の接続部と、複数の接続部にそれぞれ接続された複数の第１端子、及びメタル線にそれぞれ接続された複数の第２端子を有する信号処理回路と、を有し、複数の第２端子において隣り合って接続され、互いに異なる信号伝送路を構成するメタル線が、ケーブル内において互いに隣り合わないように配置されている。これにより、異なる信号伝送路を構成するメタル線が基板（第２端子）及びケーブル内の双方にて隣接することを回避することができる。これにより、信号処理回路を有する信号伝送用ケーブルにおいても、異なるチャネル間におけるクロストークの影響を軽減することができる。
【００１４】
（３）上記の信号伝送用ケーブルでは、ケーブルが、メタル線として、ケーブルの外周に沿って配置された外側メタル線と、外側メタル線の内側に配置された内側メタル線とを有し、複数の接続部において隣り合って接続され、互いに異なる信号伝送路を構成するメタル線の組合せの一部が、外側メタル線同士の組合せであるとともに、当該組合せに係るメタル線がケーブルの中心を通る同一直線上に配置されていてもよい。これにより、接続部において隣り合って接続され、互いに異なる信号伝送路を構成するメタル線をより離れた位置関係で配置することができ、クロストークの影響をより効果的に軽減することができる。
【００１５】
（４）上記の信号伝送用ケーブルでは、ケーブルが、メタル線として、ケーブルの外周に沿って配置された外側メタル線と、外側メタル線の内側に配置された内側メタル線とを有し、複数の第２端子において隣り合って接続され、互いに異なる信号伝送路を構成するメタル線の組合せの一部が、外側メタル線同士の組合せであるとともに、当該組合せに係るメタル線がケーブルの中心を通る同一直線上に配置されていてもよい。これにより、第２端子において隣り合って接続され、互いに異なる信号伝送路を構成するメタル線をより離れた位置関係で配置することができ、クロストークの影響をより効果的に軽減することができる。
【００１６】
（５）上記の信号伝送用ケーブルでは、信号処理回路が、外部装置に対して差動信号の送信又は受信を行うとともに、メタル線に対してシングルエンド信号の送信又は受信を行ってもよい。これにより、各チャネルの送信信号又は受信信号を１本の金属線によって伝送することができるので、例えば同軸ケーブルといった単線ケーブルを用いることでスキュー発生に起因する伝送損失を抑えることができる。
【００１７】
（６）上記の信号伝送用ケーブルでは、端末部が、ケーブル内におけるメタル線の配置を基板におけるメタル線の配置に変換する整列モールドを有していてもよい。これにより、ケーブル内と基板とで配置が異なるメタル線の配置変換を適切に行うことができ、実装性が向上する。
【００１８】
（７）本発明の他の側面に係る信号伝送用ケーブルは、外部装置に着脱可能な端末部と、端末部に端部が固定されたケーブルと、を備え、ケーブルは、８チャネル以上の信号伝送路を構成する複数のメタル線を含み、メタル線は、ケーブルの外周に沿って配置された外側メタル線と、外側メタル線の内側に配置された内側メタル線とを有し、外側メタル線であって同方向へ信号を伝送するメタル線同士が、互いに隣接しないように配置されている。本発明者らは、鋭意研究を重ねる中で、同方向に伝送される信号に係るメタル線間で問題となるＦＥＸＴ（Far End CrossTalk）は、ケーブルの外周近辺においてメタル線が隣接した場合に特に問題となるとの知見を得た。本発明では、同方向へ信号を伝送するメタル線同士がケーブルの外周において互いに隣接しないので、ＦＥＸＴの影響を軽減することができる。
【００１９】
[本発明の実施形態の詳細]
本発明の実施形態に係る信号伝送用ケーブルの具体例を、以下に図面を参照しつつ説明する。なお、本発明はこれらの例示に限定されるものではなく、特許請求の範囲によって示され、特許請求の範囲と均等の意味及び範囲内でのすべての変更が含まれることが意図される。以下の説明では、図面の説明において同一の要素には同一の符号を付し、重複する説明を省略する。
【００２０】
（第１実施形態）
図１は、第１実施形態に係る信号伝送用ケーブル１の構成を示す図である。図１に示されるように、本実施形態の信号伝送用ケーブル１は、２つの端末部１０と、ケーブル束２０（ケーブル）とを備える。一方の端末部１０はケーブル束２０の一端に取り付けられており、他方の端末部１０はケーブル束２０の他端に取り付けられている。ケーブル束２０は、信号を伝送する同軸ケーブルである複数本のメタル線２１が束ねられて成る。メタル線２１は２本で１対とされ、複数対のメタル線２１が端末部１０の基板１３（詳細は後述）に接続される。そして、メタル線２１の対毎に信号伝送路を構成し、差動信号伝送方式によりデジタル信号が伝送される。ケーブル束２０は、送受信４チャネルずつ、計８チャネル（８対）のメタル線２１が束ねられて成る（詳細は後述）。
【００２１】
一方の端末部１０は、外部装置１０１に対して挿抜（着脱）可能に構成されており、外部装置１０１に挿入されることによって外部装置１０１と電気的に接続される。他方の端末部１０は、別の外部装置１０２に対して挿抜可能に構成されており、外部装置１０２に挿入されることによって外部装置１０２と電気的に接続される。
【００２２】
図２は、端末部１０周辺の詳細を示す図である。図２に示されるように、端末部１０は、金属ハウジング１１を備えている。金属ハウジング１１内部には、ケーブル束２０の一端及び基板１３が収容されており、ケーブル束２０のメタル線２１が基板１３に半田付けされることによりメタル線２１の端部が端末部１０に固定されている。
【００２３】
図３（ａ）は基板１３を一方の板面側から見た上面図である。図３（ｂ）は基板１３を他方の板面側から見た裏面図である。図３に示されるように、基板１３は長手方向及び短手方向を有する長方形状を呈しており、誘電体基板と、該誘電体基板の一方の面１３ａ上及び他方の面１３ｂ上に形成された導電性の配線パターンとを有する。基板１３は、接続部１２及びパッド群１５を有し、外部装置１０１，１０２及びメタル線２１に電気的に接続可能とされている。
【００２４】
接続部１２は、外部装置１０１，１０２（図１及び図２を参照）との電気的なインターフェースを構成する部分である。接続部１２は、一方の面１３ａ及び他方の面１３ｂ上に設けられた複数の端子１２ａ〜１２ｐ（複数の接続部）を有する。複数の端子１２ａ〜１２ｐは、ケーブル束２０に含まれる各チャネルのメタル線２１毎に対応して設けられており、各メタル線にそれぞれ接続されている。複数の端子１２ａ〜１２ｐは、２つの端子により一対の端子が構成されており、一対の端子１２ｅ，１２ｆ、一対の端子１２ｇ，１２ｈ、一対の端子１２ｉ，１２ｊ、及び一対の端子１２ｋ，１２ｌは送信用の信号端子である。また、一対の端子１２ａ，１２ｂ、一対の端子１２ｃ，１２ｄ、一対の端子１２ｍ，１２ｎ、及び一対の端子１２ｏ，１２ｐは受信用の信号端子である。なお、図３では、信号端子である端子１２ａ〜１２ｐ以外の端子、例えば電源端子やグランド端子等は省略されている。
【００２５】
一方の面１３ａにおいては、一対の端子１２ａ，１２ｂ及び一対の端子１２ｇ，１２ｈに挟まれるようにして一対の端子１２ｃ，１２ｄ及び一対の端子１２ｅ，１２ｆが配置されており、より詳細には、一対の端子１２ａ，１２ｂ及び一対の端子１２ｇ，１２ｈの間のうち、一対の端子１２ａ，１２ｂ寄りの位置に一対の端子１２ｃ，１２ｄが配置されており、一対の端子１２ｇ，１２ｈ寄りの位置に一対の端子１２ｅ，１２ｆが配置されている。すなわち、一対の端子１２ａ，１２ｂは一対の端子１２ｃ，１２ｄと隣り合っており、一対の端子１２ｃ，１２ｄは一対の端子１２ａ，１２ｂ及び一対の端子１２ｅ，１２ｆと隣り合っており、一対の端子１２ｅ，１２ｆは一対の端子１２ｃ，１２ｄ及び一対の端子１２ｇ，１２ｈと隣り合っており、一対の端子１２ｇ，１２ｈは一対の端子１２ｅ，１２ｆと隣り合っている。
【００２６】
他方の面１３ｂにおいては、一対の端子１２ｉ，１２ｊ及び一対の端子１２ｏ，１２ｐに挟まれるようにして一対の端子１２ｋ，１２ｌ及び一対の端子１２ｍ，１２ｎが配置されており、より詳細には、一対の端子１２ｉ，１２ｊ及び一対の端子１２ｏ，１２ｐの間のうち、一対の端子１２ｉ，１２ｊ寄りの位置に一対の端子１２ｋ，１２ｌが配置されており、一対の端子１２ｏ，１２ｐ寄りの位置に一対の端子１２ｍ，１２ｎが配置されている。すなわち、一対の端子１２ｉ，１２ｊは一対の端子１２ｋ，１２ｌと隣り合っており、一対の端子１２ｋ，１２ｌは一対の端子１２ｉ，１２ｊ及び一対の端子１２ｍ，１２ｎと隣り合っており、一対の端子１２ｍ，１２ｎは一対の端子１２ｋ，１２ｌ及び一対の端子１２ｏ，１２ｐと隣り合っており、一対の端子１２ｏ，１２ｐは一対の端子１２ｍ，１２ｎと隣り合っている。
【００２７】
パッド群１５は、基板１３の一方の面１３ａ上に設けられたパッド群１５Ａと、基板１３の他方の面１３ｂ上に設けられたパッド群１５Ｂとを有している。パッド群１５Ａ，１５Ｂは、それぞれ、送信用の４つのパッド１５ａと受信用の４つのパッド１５ｂとを有している。パッド１５ａには、送信用のメタル線２１であって互いに異なる信号伝送路を構成するメタル線２６〜２９の心線２１ａの一端が導電接着されている。また、パッド１５ｂには、受信用のメタル線２１であって互いに異なる信号伝送路を構成するメタル線２２〜２５の心線２１ａの一端が導電接着されている。
【００２８】
送信用のメタル線２６を構成する一対のメタル線２６ａ，２６ｂが導電接着されたパッド１５ａは、配線１６を介して一対の端子１２ｇ，１２ｈに電気的に接続されている。また、送信用のメタル線２８を構成する一対のメタル線２８ａ，２８ｂが導電接着されたパッド１５ａは、配線１６を介して一対の端子１２ｅ，１２ｆに電気的に接続されている。また、送信用のメタル線２７を構成する一対のメタル線２７ａ，２７ｂが導電接着されたパッド１５ａは、配線１６を介して一対の端子１２ｉ，１２ｊに電気的に接続されている。また、送信用のメタル線２９を構成する一対のメタル線２９ａ，２９ｂが導電接着されたパッド１５ａは、配線１６を介して一対の端子１２ｋ，１２ｌに電気的に接続されている。
【００２９】
受信用のメタル線２５を構成する一対のメタル線２５ａ，２５ｂが導電接着されたパッド１５ｂは、配線１６を介して一対の端子１２ｃ，１２ｄに電気的に接続されている。また、受信用のメタル線２３を構成する一対のメタル線２３ａ，２３ｂが導電接着されたパッド１５ｂは、配線１６を介して一対の端子１２ａ，１２ｂに電気的に接続されている。また、受信用のメタル線２４を構成する一対のメタル線２４ａ，２４ｂが導電接着されたパッド１５ｂは、配線１６を介して一対の端子１２ｍ，１２ｎに電気的に接続されている。また、受信用のメタル線２２を構成する一対のメタル線２２ａ，２２ｂが導電接着されたパッド１５ｂは、配線１６を介して一対の端子１２ｏ，１２ｐに電気的に接続されている。
【００３０】
これにより、一方の面１３ａの接続部１２においては、一対の端子１２ｇ，１２ｈに電気的に接続された一対のメタル線２６ａ，２６ｂ、及び、一対の端子１２ｅ，１２ｆに電気的に接続された一対のメタル線２８ａ，２８ｂが隣り合って接続されている。また、一対の端子１２ｅ，１２ｆに電気的に接続された一対のメタル線２８ａ，２８ｂ、及び、一対の端子１２ｃ，１２ｄに電気的に接続された一対のメタル線２５ａ，２５ｂが隣り合って接続されている。また、一対の端子１２ｃ，１２ｄに電気的に接続された一対のメタル線２５ａ，２５ｂ、及び、一対の端子１２ａ，１２ｂに電気的に接続された一対のメタル線２３ａ，２３ｂが隣り合って接続されている。
【００３１】
また、他方の面１３ｂの接続部１２においては、一対の端子１２ｉ，１２ｊに電気的に接続された一対のメタル線２７ａ，２７ｂ、及び、一対の端子１２ｋ，１２ｌに電気的に接続された一対のメタル線２９ａ，２９ｂが隣り合って接続されている。また、一対の端子１２ｋ，１２ｌに電気的に接続された一対のメタル線２９ａ，２９ｂ、及び、一対の端子１２ｍ，１２ｎに電気的に接続された一対のメタル線２４ａ，２４ｂが隣り合って接続されている。また、一対の端子１２ｍ，１２ｎに電気的に接続された一対のメタル線２４ａ，２４ｂ、及び、一対の端子１２ｏ，１２ｐに電気的に接続された一対のメタル線２２ａ，２２ｂが隣り合って接続されている。
【００３２】
図４は、ケーブル束２０の一端における延伸方向から見た構成を示す模式図である。ケーブル束２０は、信号を伝送する複数のメタル線２２〜２９と、メタル線２２〜２９を覆う被覆部３０とを有している。被覆部３０は、例えばポリ塩化ビニル、ポリエステル、ウレタン、又はゴム等の絶縁体により構成された外被と、外被及びメタル線２２〜２９の間に介在しメタル線２２〜２９を覆う編組線（外部導体）とを有している。
【００３３】
ケーブル束２０は、メタル線２１として、ケーブル束２０の外周に沿って配置された外側メタル線と、外側メタル線の内側に配置された内側メタル線とを有している。具体的には、メタル線２２，２４，２５，２７，２８，２９がケーブル束２０の外周に沿って配置された外側メタル線であり、メタル線２３，２６が外側メタル線の内側に配置された内側メタル線である。なお、ケーブル束２０では、外側メタル線の内側において内側メタル線と隣り合うようにして介在３１が配置されている。
【００３４】
ケーブル束２０では、上述した基板１３の接続部１２において隣り合って接続され、互いに異なる信号伝送路を構成するメタル線が、ケーブル束２０内において互いに隣り合わないように配置されている。なお、メタル線は１対（２本）で各信号伝送路を構成するので、異なる信号伝送路のメタル線がケーブル束２０内において互いに隣り合わないとは、対の２本がいずれも隣り合っていないことをいう。すなわち、第１のメタル線と第２のメタル線とが互いに隣り合わないとは、第１のメタル線である一対（２本）のメタル線のいずれもが、第２のメタル線である一対（２本）のメタル線のいずれとも隣り合わないことをいう。
【００３５】
図３及び図４を参照しながら具体的に説明する。例えば、接続部１２においてメタル線２６（メタル線２６ａ，２６ｂ）とメタル線２８（メタル線２８ａ，２８ｂ）とは隣り合って接続されている。一方、ケーブル束２０内においては、メタル線２６（図４中で示すＴ１−１，Ｔ１−２）とメタル線２８（図４中で示すＴ３−１，Ｔ３−２）との間に介在３１及びメタル線２３（図４中で示すＲ２−１，Ｒ２−２）が配置されており、メタル線２６及びメタル線２８は互いに隣り合って配置されていない。同様に、接続部１２において隣り合って接続されているメタル線２８（メタル線２８ａ，２８ｂ）及びメタル線２５（メタル線２５ａ，２５ｂ）は、ケーブル束２０内において互いに隣り合って配置されていない（図４中のメタル線２８（Ｔ３−１，Ｔ３−２）及びメタル線２５（Ｒ４−１，Ｒ４−２）を参照）。同様に、接続部１２において隣り合って接続されているメタル線２５（メタル線２５ａ，２５ｂ）及びメタル線２３（メタル線２３ａ，２３ｂ）は、ケーブル束２０内において互いに隣り合って配置されていない（図４中のメタル線２５（Ｒ４−１，Ｒ４−２）及びメタル線２３（Ｒ２−１，Ｒ２−２）を参照）。同様に、接続部１２において隣り合って接続されているメタル線２７（メタル線２７ａ，２７ｂ）及びメタル線２９（メタル線２９ａ，２９ｂ）は、ケーブル束２０内において互いに隣り合って配置されていない（図４中のメタル線２７（Ｔ２−１，Ｔ２−２）及びメタル線２９（Ｔ４−１，Ｔ４−２）を参照）。同様に、接続部１２において隣り合って接続されているメタル線２９（メタル線２９ａ，２９ｂ）及びメタル線２４（メタル線２４ａ，２４ｂ）は、ケーブル束２０内において互いに隣り合って配置されていない（図４中のメタル線２９（Ｔ４−１，Ｔ４−２）及びメタル線２４（Ｒ３−１，Ｒ３−２）を参照）。同様に、接続部１２において隣り合って接続されているメタル線２４（メタル線２４ａ，２４ｂ）及びメタル線２２（メタル線２２ａ，２２ｂ）は、ケーブル束２０内において互いに隣り合って配置されていない（図４中のメタル線２４（Ｒ３−１，Ｒ３−２）及びメタル線２２（Ｒ１−１，Ｒ１−２）を参照）。
【００３６】
更に、ケーブル束２０では、基板１３の接続部１２において隣り合って接続され、互いに異なる信号伝送路を構成するメタル線の組合せの一部が、外側メタル線同士の組合せであるとともに、当該組合せに係るメタル線２１がケーブル束２０の中心を通る同一直線ＳＬ上に配置されている。例えば、接続部１２において隣り合って接続された、互いに異なる信号伝送路を構成するメタル線２８及びメタル線２５の組合せは、外側メタル線同士の組合せであって、且つ、当該組合せに係るメタル線２８，２５は、ケーブル束２０の中心を通る同一直線ＳＬ上に配置されている。
【００３７】
上述したように、ケーブル束２０内におけるメタル線２１の配置と、接続部１２におけるメタル線２１の配置とが異なるので、端末部１０は、ケーブル束２０内におけるメタル線の配置を基板１３（より詳細には接続部１２）におけるメタル線２１の配置に変換する整列モールド７０（図３参照）を有していてもよい。整列モールド７０は、プラスチック又はポリカーボネート等を材料として成型された略立方体形状であり、パッド群１５に対してケーブル束２０側（接続部１２と反対側）に配置されている。整列モールド７０には、メタル線２１が通過可能な必要最小限の大きさの開口が形成されている。もしくは整列モールド７０によりメタル線２１が固定されている。メタル線２１が当該開口を通過する、もしくは整列後にモールドにより固定することによって、メタル線２１が整列し、接続部１２におけるメタル線２１の接続が容易となる。
【００３８】
以上の構成を備える本実施形態の信号伝送用ケーブル１によって得られる効果について説明する。
【００３９】
通常、端末部の基板における端子の並び（配線パターン）は規格で定められている。このことから、ケーブル内のメタル線は、基板への実装性を考慮して、基板の端子の並びに準じた配置とされることが一般的である。
【００４０】
ここで、図５（ａ）は比較例に係る基板を一方の板面側から見た上面図である。図５（ｂ）は比較例に係る基板を他方の板面側から見た裏面図である。また、図６は、比較例に係るケーブルの一端を示した模式図である。この比較例では、送信用のメタル線２６０を構成する一対のメタル線２６０ａ，２６０ｂが導電接着されたパッド１５ａは、配線１６を介して一対の端子１２ｇ，１２ｈに電気的に接続されている。また、送信用のメタル線２８０を構成する一対のメタル線２８０ａ，２８０ｂが導電接着されたパッド１５ａは、配線１６を介して一対の端子１２ｅ，１２ｆに電気的に接続されている。また、送信用のメタル線２７０を構成する一対のメタル線２７０ａ，２７０ｂが導電接着されたパッド１５ａは、配線１６を介して一対の端子１２ｉ，１２ｊに電気的に接続されている。また、送信用のメタル線２９０を構成する一対のメタル線２９０ａ，２９０ｂが導電接着されたパッド１５ａは、配線１６を介して一対の端子１２ｋ，１２ｌに電気的に接続されている。
【００４１】
また、この比較例では、受信用のメタル線２５０を構成する一対のメタル線２５０ａ，２５０ｂが導電接着されたパッド１５ｂは、配線１６を介して一対の端子１２ｃ，１２ｄに電気的に接続されている。また、受信用のメタル線２３０を構成する一対のメタル線２３０ａ，２３０ｂが導電接着されたパッド１５ｂは、配線１６を介して一対の端子１２ａ，１２ｂに電気的に接続されている。また、受信用のメタル線２４０を構成する一対のメタル線２４０ａ，２４０ｂが導電接着されたパッド１５ｂは、配線１６を介して一対の端子１２ｍ，１２ｎに電気的に接続されている。また、受信用のメタル線２２０を構成する一対のメタル線２２０ａ，２２０ｂが導電接着されたパッド１５ｂは、配線１６を介して一対の端子１２ｏ，１２ｐに電気的に接続されている。
【００４２】
例えば、この比較例では、接続部１２において隣り合って接続されている送信用のメタル線２６０及び送信用のメタル線２８０が、ケーブル束２００内においても互いに隣り合って配置されている（図６中のメタル線２６０ａ（Ｔ１−１）及びメタル線２８０ｂ（Ｔ３−２）を参照）。このように、同方向へ信号を伝送するメタル線がケーブル内及び接続部の双方において隣り合う場合には、同方向の信号間で発生するクロストークであるＦＥＸＴ（Far End CrossTalk）が特に顕著となる。また、接続部１２において隣り合って接続されている送信用のメタル線２８０及び受信用のメタル線２５０が、ケーブル束２００内においても互いに隣り合って配置されている（図６中のメタル線２８０ａ（Ｔ３−１）及びメタル線２５０ｂ（Ｒ４−２）を参照）。このように、異なる方向へ信号を伝送するメタル線がケーブル内及び接続部の双方において隣り合う場合には、送信信号及び受信信号間で発生するクロストークであるＮＥＸＴ（Near End Crosstalk）が特に顕著となる。以上より、異なる信号伝送路を構成するメタル線が接続部及びケーブル内の双方において隣り合うことによって、クロストークの影響が顕著となる。
【００４３】
この点、本実施形態に係る信号伝送用ケーブル１では、接続部１２において隣り合って接続される異なる信号伝送路を構成するメタル線２１が、ケーブル束２０内においては、隣り合わないように（すなわち他のメタル線２１を介して）配置されている（図３及び図４参照）。これにより、異なる信号伝送路を構成するメタル線２１が接続部１２及びケーブル束２０内の双方にて隣り合うことを回避することができる。これにより、上述した比較例と比べて、異なるチャネル間におけるクロストークの影響を軽減することができる。
【００４４】
また、ケーブル束２０は、メタル線２１として、ケーブル束２０の外周に沿って配置された外側メタル線と、外側メタル線の内側に配置された内側メタル線とを有し、複数の接続部１２において隣り合って接続される互いに異なるチャネルのメタル線２１の組合せの一部が、外側メタル線同士の組合せであるとともに、当該組合せに係るメタル線２１がケーブル束２０の中心を通る同一直線ＳＬ上に配置されている。これにより、接続部１２において隣り合って接続される異なる信号伝送路を構成するメタル線を、ケーブル束２０内においてはより離れた位置関係で配置することができ、クロストークの影響をより効果的に軽減することができる。なお、この組み合わせは、送信用のメタル線２１と受信用のメタル線２１との組み合わせであることが好ましい。これにより、ＮＥＸＴを効果的に軽減することができる。
【００４５】
また、端末部１０が、ケーブル束２０内におけるメタル線２１の配置を基板１３におけるメタル線２１の配置に変換する整列モールド７０を有していることにより、ケーブル束２０内と接続部１２とで配置が異なるメタル線２１の配置変換を適切に行うことができ、実装性が向上する。
【００４６】
（第２実施形態）
図７（ａ）は第２実施形態に係る基板１３ｘを一方の板面側から見た上面図である。図７（ｂ）は第２実施形態に係る基板１３ｘを他方の板面側から見た裏面図である。なお、第２実施形態の説明においては第１実施形態と共通する説明を省略する。後述する第３〜第５実施形態においても同様である。図７に示されるように、基板１３ｘは、接続部１２及びパッド群１５を有する点において上述した基板１３と同様であるが、信号処理回路１２０を実装している点で異なる。信号処理回路１２０は、例えばクロックデータリカバリ（ＣＤＲ）回路やリピータ回路等の信号整形回路を含み、該信号整形回路は集積回路素子（ＩＣ）によって構成されている。信号処理回路１２０は、端末部が外部装置に挿入されることにより、外部装置の内部回路と電気的に接続される。信号処理回路１２０は、配線１６ｂを介して複数の端子１２ａ〜１２ｐにそれぞれ接続された複数の第１端子１２１ａ〜１２１ｐと、配線１６ａを介して各チャネルのメタル線２２〜２９にそれぞれ接続された第２端子１２２ａ〜１２２ｐと、を有する。
【００４７】
より詳細には、送信用のメタル線２６を構成する一対のメタル線２６ａ，２６ｂが導電接着されたパッド１５ａは、配線１６ａ、信号処理回路１２０の第２端子１２２ｇ，１２２ｈ、第１端子１２１ｇ，１２１ｈ、及び配線１６ｂを介して一対の端子１２ｇ，１２ｈに電気的に接続されている。また、送信用のメタル線２８を構成する一対のメタル線２８ａ，２８ｂが導電接着されたパッド１５ａは、配線１６ａ、信号処理回路１２０の第２端子１２２ｅ，１２２ｆ、第１端子１２１ｅ，１２１ｆ、及び配線１６ｂを介して一対の端子１２ｅ，１２ｆに電気的に接続されている。また、送信用のメタル線２７を構成する一対のメタル線２７ａ，２７ｂが導電接着されたパッド１５ａは、配線１６ａ、信号処理回路１２０の第２端子１２２ｉ，１２２ｊ、第１端子１２１ｉ，１２１ｊ、及び配線１６ｂを介して一対の端子１２ｉ，１２ｊに電気的に接続されている。また、送信用のメタル線２９を構成する一対のメタル線２９ａ，２９ｂが導電接着されたパッド１５ａは、配線１６ａ、信号処理回路１２０の第２端子１２２ｋ，１２２ｌ、第１端子１２１ｋ，１２１ｌ、及び配線１６ｂを介して一対の端子１２ｋ，１２ｌに電気的に接続されている。
【００４８】
受信用のメタル線２５を構成する一対のメタル線２５ａ，２５ｂが導電接着されたパッド１５ｂは、配線１６ａ、信号処理回路１２０の第２端子１２２ｃ，１２２ｄ、第１端子１２１ｃ，１２１ｄ、及び配線１６ｂを介して一対の端子１２ｃ，１２ｄに電気的に接続されている。また、受信用のメタル線２３を構成する一対のメタル線２３ａ，２３ｂが導電接着されたパッド１５ｂは、配線１６ａ、信号処理回路１２０の第２端子１２２ａ，１２２ｂ、第１端子１２１ａ，１２１ｂ、及び配線１６ｂを介して一対の端子１２ａ，１２ｂに電気的に接続されている。また、受信用のメタル線２４を構成する一対のメタル線２４ａ，２４ｂが導電接着されたパッド１５ｂは、配線１６ａ、信号処理回路１２０の第２端子１２２ｍ，１２２ｎ、第１端子１２１ｍ，１２１ｎ、及び配線１６ｂを介して一対の端子１２ｍ，１２ｎに電気的に接続されている。また、受信用のメタル線２２を構成する一対のメタル線２２ａ，２２ｂが導電接着されたパッド１５ｂは、配線１６ａ、信号処理回路１２０の第２端子１２２ｏ，１２２ｐ、第１端子１２１ｏ，１２１ｐ、及び配線１６ｂを介して一対の端子１２ｏ，１２ｐに電気的に接続されている。
【００４９】
本実施形態におけるケーブル束２０のメタル線２１の配置は、第１実施形態と同様図４のようになり、第２端子１２２ａ〜１２２ｐにおいて隣り合って接続される互いに異なる信号伝送路を構成するメタル線が、ケーブル束２０内において互いに隣り合わないように配置される。これにより、第１実施形態と同様、異なるチャネル間におけるクロストークの影響を軽減することができる。また、ケーブル束２０におけるメタル線２１の配置が第１実施形態と同様であるので、第２端子１２２ａ〜１２２ｐにおいて隣り合って接続されるメタル線２１の組合せの一部が外側メタル線同士の組合せであって、当該組合せに係るメタル線２１がケーブル束２０の中心を通る同一直線上に配置されている。これにより、クロストークの影響をより軽減することができる。
【００５０】
（第３実施形態）
図８は、第３実施形態に係るケーブル束２０Ａの一端を示した模式図である。図８に示されるように、ケーブル束２０Ａは、ケーブル束２０Ａの外周に沿って配置された外側メタル線として、送信用のメタル線であるメタル線４７ａ，４７ｂ（図８中のＴ２−１，Ｔ２−２）、メタル線４８ａ，４８ｂ（図８中のＴ３−１，Ｔ３−２）、及びメタル線４９ａ，４９ｂ（図８中のＴ４−１，Ｔ４−２）を有している。ケーブル束２０Ａは、ケーブル束２０Ａの外周に沿って配置された外側メタル線として、受信用のメタル線であるメタル線４２ａ，４２ｂ（図８中のＲ１−１，Ｒ１−２）、メタル線４４ａ，４４ｂ（図８中のＲ３−１，Ｒ３−２）、及びメタル線４５ａ，４５ｂ（図８中のＲ４−１，Ｒ４−２）を有している。また、ケーブル束２０Ａは、外側メタル線の内側に配置された内側メタル線として、送信用のメタル線であるメタル線４６ａ，４６ｂ（図８中のＴ１−１，Ｔ１−２）、及び受信用のメタル線であるメタル線４３ａ，４３ｂ（図８中のＲ２−１，Ｒ２−２）を有している。
【００５１】
ケーブル束２０Ａでは、外側メタル線であって同方向へ信号を伝送するメタル線同士が、ケーブル束２０Ａの外周において互いに隣接しないように配置されている。具体的には、ケーブル束２０Ａの外周において、同じ信号伝送路を構成する一対の差動ペアのメタル線が隣接していない。そして、差動ペアのメタル線の間に、当該差動ペアのメタル線と逆方向へ信号を伝送するメタル線が配置されている。例えば、ケーブル束２０Ａの外周に沿って配置された受信用の信号伝送路を構成する差動ペアであるメタル線４２ａ，４２ｂの間には、送信用のメタル線であるメタル線４９ａが配置されている。このようにして、ケーブル束２０Ａでは、ケーブル束２０Ａの外周において、同方向へ信号を伝送するメタル線同士が互いに隣接しないように配置されている。
【００５２】
同方向に信号を伝送する信号伝送路間で問題となるＦＥＸＴは、ケーブルの外周近辺において信号伝送路を構成するメタル線が隣接した場合に特に問題となる。従って、ケーブル束２０Ａでは、同方向へ信号を伝送するメタル線２１同士がケーブル束２０の外周において互いに隣接しないので、ＦＥＸＴの影響を軽減することができる。
【００５３】
（第４実施形態）
図９は、第４実施形態に係るケーブル束２０Ｂの一端を示した模式図である。図９（ａ）はケーブル束２０Ｂに含まれる一のケーブルコア５０（メタル線）を示した模式図であり、図９（ｂ）はケーブル束２０Ｂ全体の一端を示した模式図である。図９（ａ）に示されるように、ケーブルコア５０は、ツイナックスケーブルである。ケーブル束２０Ｂに含まれる一のケーブルコア５０は、平行に並んだ一対の導体５０ａを有している。そして、当該一対の導体５０ａそれぞれの外周面には押出成形によって一対の被覆層５０ｂそれぞれが設けられている。被覆層５０ｂは、発泡絶縁樹脂等により構成されている。そして、被覆層５０ｂの周りをシールド５０ｃ，５０ｄが囲い、さらにその周りをジャケット５０ｅが囲っている。
【００５４】
ケーブル束２０Ｂは、ケーブルコア５０として、ケーブルコア５１〜５８を有している。ケーブルコア５１〜５４は受信用のメタル線であり、ケーブルコア５５〜５８は送信用のメタル線である。本実施形態においても、基板の接続部において隣りあって接続された異なるチャネルのメタル線（ケーブルコア５１〜５８）が、ケーブル束２０Ｂ内において互いに隣り合わないように配置されている。すなわち、例えば、ケーブルコア５１が基板の接続部においてケーブルコア５３と隣り合っている場合において、図９（ｂ）に示すように、ケーブルコア５１（図９（ｂ）中のＲ１）とケーブルコア５３（図９（ｂ）中のＲ３）とが隣り合わないように配置されている。このように配置されることで、ケーブル束としてツイナックスケーブルを用いた場合においても、第１実施形態と同様、異なるチャネル間におけるクロストークの影響を軽減することができる。
【００５５】
（第５実施形態）
図１０（ａ）は第５実施形態に係る基板１３ｙを一方の板面側から見た上面図であり、図１０（ｂ）は第５実施形態に係る基板１３ｙを他方の板面側から見た裏面図である。図１１は、第５実施形態に係るケーブル束２０Ｃの一端を示した模式図である。図１１（ａ）はケーブル束２０Ｃに含まれる一のメタル線を示した模式図であり、図１１（ｂ）はケーブル束２０Ｃ全体の一端を示した模式図である。図１０及び図１１に示されるように、ケーブル束２０Ｃは、シングルエンド入力用の同軸ケーブルである。ケーブル束２０Ｃに含まれるメタル線６０は、１本の信号線によりデータ転送を行うメタル線であり、内部導体６０ａと、内部導体６０ａの外周面に設けられた絶縁体６０ｂと、絶縁体６０ｂの周りを囲う外部導体６０ｃ，６０ｄと、外部導体６０ｄの周りを囲うジャケット６０ｅとを有している。ケーブル束２０Ｃは、メタル線６０としてメタル線６１〜６８を有している。
【００５６】
図１０に示されるように、基板１３ｙは、信号処理回路１２０ｙを実装している。信号処理回路１２０ｙは上述した信号処理回路１２０と同様、例えばクロックデータリカバリ（ＣＤＲ）回路やリピータ回路等の信号整形回路を含み、該信号整形回路は集積回路素子（ＩＣ）によって構成されている。信号処理回路１２０ｙは、外部装置に対して差動信号の送信又は受信を行うとともに、メタル線６１〜６８に対してシングルエンド信号の送信又は受信を行う。信号処理回路１２０ｙは、各メタル線６１〜６８それぞれに対応して一対の端子１２８を有している。一対の端子１２８のうち一方の端子１２８ａはメタル線６１〜６８のいずれかが交流的に短絡されておりシングルエンド信号の送受信を行う。一方、他方の端子１２８ｂは終端されている。
【００５７】
上述したシングルエンド入力用の同軸ケーブルであるケーブル束２０Ｃにおいても、信号処理回路１２０ｙの端子１２８（より詳細には端子１２８ａ）において隣り合って接続された互いに異なるチャネルのメタル線６１〜６８が、ケーブル束２０Ｃ内において互いに隣り合わないように配置されている。すなわち、例えば、図１０（ａ）に示されるように、端子１２８において隣り合って接続されたメタル線６５，６７は、図１１に示されるようにケーブル束２０Ｃ内において互いに隣り合わないように配置されている（図１１中のＴ１，Ｔ３を参照）。このように配置されることで、ケーブル束としてシングルエンド入力用の同軸ケーブルを用いた場合においても、第１実施形態と同様、異なるチャネル間におけるクロストークの影響を軽減することができる。シングルエンド入力用の同軸ケーブルを用いることにより、送信信号及び受信信号を１本の金属線によって伝送することができるので、スキュー発生に起因する伝送損失を抑えることができる。
【００５８】
以上、本発明の実施形態について説明したが本発明は上記実施形態に限定されるものではない。例えば、ケーブル束２０に含まれた信号伝送路を構成するメタル線２１は８チャネルとして説明したがこれに限定されるものではなく、８チャネルよりもチャネル数が多くてもよい。また、差動信号をシングルエンド信号に変換するための構成として、集積回路素子の差動出力の一方を終端回路に接続する方式を例示したが、差動信号をシングルエンド信号に変換するための方式としては、これに限られず他に様々な方式を採用することができる。
【符号の説明】
【００５９】
１…信号伝送用ケーブル、１０…端末部、１２…接続部、１３，１３ｘ，１３ｙ…基板、２０，２０Ａ，２０Ｂ，２０Ｃ…ケーブル束、２１…メタル線、１０１，１０２…外部装置、１２０，１２０ｙ…信号処理回路。
【図１】
2016024979.tif 000003
【図２】
2016024979.tif 000004
【図３】
2016024979.tif 000005
【図４】
2016024979.tif 000006
【図５】
2016024979.tif 000007
【図６】
2016024979.tif 000008
【図７】
2016024979.tif 000009
【図８】
2016024979.tif 000010
【図９】
2016024979.tif 000011
【図１０】
2016024979.tif 000012
【図１１】
2016024979.tif 000013